(57)【要約】【課題】袋の中に面状ヒーターを入れ、マイナスイオン発生シートを出し入れ自在にし、体の各部位にフィットさせて使用することにより、確実にマイナスイオン等の生命エネルギーを伝えることができると共に、ゲルマニュームを使用するシートにより、多くのマイナスイオン及び遠赤外線を放射し、かつ必要に応じて複数枚重ねて使用することができ、かつ表面温度を２５℃から３０℃と低温に設定しても効果があり、長時間使用しても低温やけどにならない。また、バイブレータ具や超音波具を付加することにより、より一層指圧効果等を上げることのできる温熱パットを提供するものである。【解決手段】袋の中に遠赤外線８ミクロンから１５ミクロンを放射する面状ヒーターを設けてなる温熱パットであって、マイナスイオン発生シートを出し入れ自在に設け、体にフィットしてなることを特徴とする。【選択図】　図１
0003097982.tif 000002
【実用新案登録請求の範囲】
【請求項１】
袋の中に遠赤外線８ミクロンから１５ミクロンを放射する面状ヒーターを設けてなる温熱パットであって、マイナスイオン発生シートを出し入れ自在に設け、体にフィットしてなることを特徴とする温熱パット。
【請求項２】
マイナスイオン発生シートが、主にゲルマニュームの粉末を付加してなることを特徴とする請求項１記載の温熱パット。
【請求項３】
マイナスイオン発生シートが、基材の表面に主にゲルマニュームの粒を配設してなることを特徴とする請求項１又は２記載の温熱パット。
【請求項４】
色々な大きさの粒を配設してなることを特徴とする請求項３記載の温熱パット。
【請求項５】
マイナスイオン発生シートを複数枚重ねて設けてなることを特徴とする請求項１、２、３又は４記載の温熱パット。
【請求項６】
温熱パットの表面温度を２５℃から３０℃に設定してなることを特徴とする請求項１、２、３、４又は５記載の温熱パット。
【請求項７】
バイブレータ具及び／または超音波具を設けてなることを特徴とする請求項１、２、３、４、５又は６記載の温熱パット。
【考案の詳細な説明】
【０００１】
【考案の属する技術分野】
この考案は、袋の中の面状ヒーターを加熱させ、その熱でマイナスイオン発生シートを加熱し、多くのマイナスイオンや遠赤外線（８から１５ミクロン）を放射し、自然治癒力をアップさせることのできる温熱パットに関するものである。
【０００２】
【従来の技術】
従来の技術としては、特開２００２−１２６１０５号公報のような、所定大の台板部材と該台板部材の上面に配設される一枚の放射板とからなり、該放射板は遠赤外線による温熱作用のある鉱石またはこの粒状物をセラミック材料に混入した焼成物から形成され、また前記台板部材の内部には発熱装置を装備してなることを特徴とする多機能特性を備えた健康器具がある。
また、放射板が取替え自在であり、マイナスイオン作用のある短柱体を埋め込み、上面に指圧用の突起を突設してなるものがある。
【０００３】
しかしながら、上記のような方法では、台板部材及び放射板が板材であり、体の各部位にフィットすることなく別の可撓性のものを付加しなければならず、構造的にも複雑になり、必然的にコスト高となる。
また、放射板が取替え自在であるが、別の形態のものと交換するものであり、重ね合せてパワーアップさせる等の機能を有していない。
【０００４】
【考案が解決しようとする課題】
この考案は、上記の問題点に鑑みなされたもので、その目的は、袋の中に面状ヒーターを入れ、マイナスイオン発生シートを出し入れ自在にし、体の各部位にフィットさせて使用することにより、確実にマイナスイオン等の生命エネルギーを伝えることができると共に、ゲルマニュームを使用するシートにより、多くのマイナスイオン及び遠赤外線を放射し、かつ必要に応じて複数枚重ねて使用することができ、かつ表面温度を２５℃から３０℃と低温に設定しても効果があり、長時間使用しても低温やけどにならない。
また、バイブレータ具や超音波具を付加することにより、より一層指圧効果等を上げることのできる温熱パットを提供するものである。
【０００５】
【課題を解決するための手段】
上記課題を解決するための手段として、袋の中に遠赤外線８ミクロンから１５ミクロンを放射する面状ヒーターを設けてなる温熱パットであって、マイナスイオン発生シートを出し入れ自在に設け、体にフィットしてなること。また、マイナスイオン発生シートが、主にゲルマニュームの粉末を付加してなること。マイナスイオン発生シートが、基材の表面に主にゲルマニュームの粒を配設してなること。さらに、色々な大きさの粒を配設してなること。マイナスイオン発生シートを複数枚重ねて設けてなること。さらにまた、温熱パットの表面温度を２５℃から３０℃に設定してなること。その上、バイブレータ具及び／または超音波具を設けてなることを特徴とする。
【０００６】
【考案の実施の形態】
以下、この考案の温熱パットについて図面に基づいて説明する。
１は、温熱パットである。
２は、上部にチャック２ａを設けてなる袋で、適宜な保温力を有するもので、特に素材は限定しない。
３は、上記袋２の中に設けてなる遠赤外線８ミクロンから１２ミクロンを放射する面状ヒーターで、可撓性を有し、体にフィットするもので、自動車用３Ａ（１２Ｖ・２４Ｖ）と、１００Ｖ用３Ｂがある。
４は、マイナスイオン発生シートで、例えばシート状の不織布等の基材４ａにゲルマニュームの粉末を練り込んであるもので、多くのマイナスイオン及び遠赤外線を放射するものであり、必要に応じてトルマリン等の粉末を混合してもよく、布に塗布したり、糸（繊維）に混合した形態でもよい。
なお、面状ヒーター３をＯＮすることにより温熱パット１の表面温度を２５℃から３０℃以内にすることが望ましい。
【０００７】
上記温熱パット１の使用例として、腰痛を治したいのであれば腰のあたりにあるツボ（三焦兪、志室、腎兪、大腸兪等）を覆うように当てて使用する。
また、肩コリを治したいのであれば背中のあたりにあるツボ（肩外兪、肩井、肺兪、天宗等）を覆うように当てて使用する。
上記のように使用することにより、腰痛のベッドから降りるのさえ痛みを伴っていたものがとても楽になった。
椅子の背もたれに取り付けて使用し、背中の痛みが取れた。
等の使用者の声が多く寄せられている。
【０００８】
つぎに、第２実施例のマイナスイオン発生シートを説明する。
マイナスイオン発生シート２４は、シート状の基材２４ａにゲルマニュームの粒５を複数個を配設してなるもので、指圧効果を付加してなる。
【０００９】
つぎに、第３実施例の温熱パットを説明する。
この温熱パット３１は、袋２２の中に、上記第１実施例と同様な面状ヒーター３３及びマイナスイオン発生シート３４を入れると共に、上記と同様なマイナスイオン発生シート３４を入れてなるもので、特にマイナスイオンの発生量を多くすると共に、ゲルマニューム粒３５による指圧の相乗効果を得ることができる。
【００１０】
つぎに、第４実施例のマイナスイオン発生シートを説明する。
このマイナスイオン発生シート４１は、前記マイナスイオン発生シート４と同様なマイナスイオン発生シートを基材４４ａとし、表面に大きさの異なる例えばゲルマニューム等の粒６を複数個配設してなるもので、平面的に当るのではなく、凸凹的に当るため、自分に合ったツボを集中的に指圧することができるものである。
【００１１】
つぎに、第５実施例の温熱パットを説明する。
温熱パット５１は、例えば背面にバイブレータ具７及び／または超音波具８を設けてなるもので、マッサージ効果を得ることができる。
【００１２】
上記各実施例において、各部材の大きさは必要に応じて決めればよい。
また、マイナスイオン発生シートの基材の材質は紙、不織布、プラスチック等、特に限定しない。
さらに、マイナスイオン発生シートの使用枚数は人それぞれであるが、使用して気持ちがいいと思える枚数を使用すればよい。（通常１枚においてマイナスイオンは１ｃｃ当り２０００個位）
特にひどい腰痛や肩コリ等は一時的に枚数を増やした方が効果が表れやすい。
さらにまた、バイブレータ具や超音波具は一般に市販されているものでよい。
【００１３】
【考案の効果】
１）、遠赤外線８ミクロンから１５ミクロンを放射する面状ヒーターとマイナスイオン発生シートを組み合せ、体の各部位にフィットして使用でき、マイナスイオンと遠赤外線の相乗効果により、生体電流を整え、コリや痛みを解消するものである。
２）、主にゲルマニュームの粉末を使用することにより、特に自然治癒力や免疫力を高め、体を陰性体質から陽性体質に変え、各種病気に効果がある。
３）、主にゲルマニュームの粒を配設することにより、指圧効果を付加することができる。
４）、マイナスイオン発生シートを複数枚重ねて使用することにより、自分自身に合った効果を得ることができ、早効も可能である。
５）、色々な大きさの粒を配設することにより、自分に合ったツボを指圧することができる。
６）、表面温度を２５℃から３０℃とすることにより、長時間（就寝時や長距離運転時等）使用しても低温やけどにならない。
７）、バイブレータ具及び／または超音波具を使用することにより、一層マッサージ効果を向上させてなる。
【図面の簡単な説明】
【図１】この考案の第１実施例を示す温熱パットの斜視図。
【図２】この考案の第１実施例を示す温熱パットの縦断正面図。
【図３】この考案の第２実施例を示す温熱パットのマイナスイオン発生シートの正面図。
【図４】この考案の第２実施例を示す温熱パットのマイナスイオン発生シートの平面図。
【図５】この考案の第３実施例を示す温熱パットの縦断正面図。
【図６】この考案の第４実施例を示すマイナスイオン発生シートの正面図。
【図７】この考案の第５実施例を示す温熱パットの正面図。
【符号の説明】
１−−−温熱パット
２−−−袋
２ａ−−チャック
３−−−面状ヒーター
４−−−マイナスイオン発生シート
５−−−粒
【図１】
0003097982.tif 000003
【図２】
0003097982.tif 000004
【図３】
0003097982.tif 000005
【図４】
0003097982.tif 000006
【図５】
0003097982.tif 000007
【図６】
0003097982.tif 000008
【図７】
0003097982.tif 000009